(57)【要約】【課題】会議の記録を簡便に行うことができる電子機器を提供する。【解決手段】プロジェクタ部３８により投射面に向けて投射された、記憶部３２に記憶された投射データに対応する映像が切り替わるとき、投射面上の映像を含む領域の静止画を撮像し、撮像素子３０で取得された画像データと記憶部３２に記憶された投射データとを関連付ける。【選択図】図２
2011254185.tif 000002
【特許請求の範囲】
【請求項１】
記憶手段に記憶されたデータに対応する映像を投射面に向けて投射する投射手段と、
前記映像の投射時、前記投射面上の映像を含む領域の静止画を撮像し、その撮像データを取得する撮像手段と、
前記投射面上の前記映像を他の映像に切り替える切替手段と、
前記映像の投射時、前記切替手段による映像切替の操作に応じて前記撮像手段に前記投射面を含む領域の静止画を撮像させ、その撮像データと前記データとを相互に関連づける制御手段と
を備えていることを特徴とする電子機器。
【請求項２】
前記撮像手段で撮像した画像を表示する表示手段を備え、
前記制御手段は、前記相互に関連づけられた前記データと前記撮像データとに基づく画像を前記表示手段に表示させることを特徴とする請求項１記載の電子機器。
【請求項３】
前記撮像手段で撮像した画像を表示する外部出力手段を備え、
前記制御手段は、前記相互に関連づけられた前記データと前記撮像データとに基づく画像を前記外部出力手段に表示させることを特徴とする請求項１又は２記載の電子機器。
【請求項４】
前記制御手段は、前記相互に関連づけられた前記データと前記撮像データとに基づく画像を前記投射手段を用いて前記投射面に投射させることを特徴とする請求項１記載の電子機器。
【請求項５】
前記制御手段は、前記データと前記撮像データとをメタデータによって相互に関連づけることを特徴とする請求項１〜４のいずれか１項記載の電子機器。
【請求項６】
請求項１〜５のいずれか１項記載の電子機器は、デジタルカメラである。
【請求項７】
請求項１〜５のいずれか１項記載の電子機器は、携帯電話である。
【発明の詳細な説明】
【技術分野】
【０００１】
この発明は電子機器に関する。
【背景技術】
【０００２】
従来、ホワイトボードにプロジェクタを用いて資料の映像を投射し、投射された映像の周囲に板書しながら会議を行なうことがある。会議の記録は通常書記の聞書により行われる。この聞書以外の記録手段として、印字機能付きの電子白板、スチルカメラ（下記公報参照）、テープレコーダ等が使用される。
【先行技術文献】
【特許文献】
【０００３】
【特許文献１】特開２００５−２５０３９２号公報
【発明の概要】
【発明が解決しようとする課題】
【０００４】
しかし、会議の記録にプロジェクタ以外に例えばスチルカメラ等の専用の機器を用いて記録する場合、投射される映像が切り換わる度にホワイトボード上の映像とその周囲の文字等とを撮影しなければならないため、会議の記録作業が煩雑になるという問題がある。
【０００５】
この発明はこのような事情に鑑みてなされたもので、その課題は会議の記録を簡便に行うことができる電子機器を提供することである。
【課題を解決するための手段】
【０００６】
上記課題を解決するため請求項１記載の発明は、記憶手段に記憶されたデータに対応する映像を投射面に向けて投射する投射手段と、前記映像の投射時、前記投射面上の映像を含む領域の静止画を撮像し、その撮像データを取得する撮像手段と、前記投射面上の前記映像を他の映像に切り替える切替手段と、前記映像の投射時、前記切替手段による映像切替の操作に応じて前記撮像手段に前記投射面を含む領域の静止画を撮像させ、その撮像データと前記データとを相互に関連づける制御手段とを備えていることを特徴とする。
【０００７】
請求項２に記載の発明は、請求項１記載の電子機器において、前記撮像手段で撮像した画像を表示する表示手段を備え、前記制御手段は、前記相互に関連づけられた前記データと前記撮像データとに基づく画像を前記表示手段に表示させることを特徴とする。
【０００８】
請求項３に記載の発明は、請求項１又は２記載の電子機器において、前記撮像手段で撮像した画像を表示する外部出力手段を備え、前記制御手段は、前記相互に関連づけられた前記データと前記撮像データとに基づく画像を前記外部出力手段に表示させることを特徴とする。
【０００９】
請求項４に記載の発明は、請求項１記載の電子機器において、前記制御手段は、前記相互に関連づけられた前記データと前記撮像データとに基づく画像を前記投射手段を用いて前記投射面に投射させることを特徴とする。
【００１０】
請求項５に記載の発明は、請求項１〜４のいずれか１項記載の電子機器において、前記制御手段は、前記データと前記撮像データとをメタデータによって相互に関連づけることを特徴とする。
【００１１】
請求項６に記載の発明は、請求項１〜５のいずれか１項記載の電子機器は、デジタルカメラである。
【００１２】
請求項７に記載の発明は、請求項１〜５のいずれか１項記載の電子機器は、携帯電話である。
【発明の効果】
【００１３】
この発明によれば、会議の記録を簡便に行うことができる。
【図面の簡単な説明】
【００１４】
【図１】図１はこの発明の第１実施形態に係るデジタルカメラを示す斜視図である。
【図２】図２はこの発明の第１実施形態に係るデジタルカメラのブロック図である。
【図３】図３はこの発明の第１実施形態に係るデジタルカメラの会議記録機能を説明するフローチャートである。
【図４】図４はこの発明の第２実施形態に係るカメラシステムの構成を示す図である。
【発明を実施するための形態】
【００１５】
以下、この発明の実施の形態を図面に基づいて説明する。
【００１６】
図１はこの発明の第１実施形態に係るデジタルカメラ（電子機器）２を示す斜視図である。
【００１７】
デジタルカメラ２は筐体４を備える。筐体４の前面には、被写体光を入射させる撮像窓１０と、投影光が出る投影窓１２と、被写体に照射する光が出るフラッシュ窓１４とが設けられている。また、筐体４の上面には、電源スイッチ１６と、撮影指示を行うシャッタボタン１８と、被写体の撮像を行う撮像モードと映像（例えば会議に用いる資料の映像）の投影を行う投影モードとを切り換えるＰＪボタン２０とが設けられている。シャッタボタン１８をハーフストローク押したときに被写体像の焦点を自動的に調節するＡＦ処理や被写体像の光量を自動的に調節するＡＥ処理が行われ、フルストローク押したときに被写体の撮影が行われる。
【００１８】
図２はこの発明の第１実施形態に係るデジタルカメラのブロック図である。
【００１９】
デジタルカメラ２はＣＰＵ２５を備えている。ＣＰＵ２５には、電源スイッチ１６（図１参照）、シャッタボタン１８（図１参照）、ＰＪボタン２０（図１参照）、メニュー画面の表示を指示するメニューボタン（図示せず）、会議記録機能をオンに設定するボタン（図示せず）、ＬＣＤ表示部（表示手段）２２に表示されたメニュー画面の項目の選択等を行う十字キー（図示せず）等を備える操作部２６が接続されている。操作部２６の他に、ＣＰＵ２５には、ＬＣＤ表示部２２及びテレビジョン受信機（外部出力手段）４０の表示を制御する表示制御部２８と、撮影レンズ（図示せず）を介して被写体を撮像して撮像信号を生成するＣＭＯＳ、ＣＣＤ等により構成される撮像素子（撮像手段）３０と、撮像素子３０で生成された撮像信号をアナログ/デジタル変換を経て、投射データ（データ）として記憶する記憶部３２及びメモリカード３６と、撮像、投影等に関する設定、制御を行うための制御プログラムを格納するプログラム記憶部３４と、記憶部３２やメモリカード３６に記憶された投射データに対応する映像を例えばホワイトボードの表面等の投射面（図示せず）に投射するプロジェクタ部（投射手段）３８とが接続されている。
【００２０】
メモリカード３６はフラッシュメモリなどの不揮発性メモリによって構成される。
【００２１】
撮像素子３０は映像の投射時、投射面上の映像を含む領域の静止画を撮像し、撮像データを取得する。ＬＣＤ表示部２２及びテレビジョン受信機４０の少なくとも一方に撮像素子３０で撮像された画像が表示される。
【００２２】
十字キー（登録商標）は十字の上下左右にそれぞれスイッチを配置し、それらを十文字のカバーで覆ったものである。十字の中心には支点があり、カバーがシーソーのように動くことで、上下、又は左右のスイッチを同時に押せないようになっている。十字の中心がＯＫボタンになっている。十字キーの左右のキーが投射面上の映像を他の映像に切り替える切換手段として機能する。
【００２３】
ＣＰＵ２５は切換手段である十字キーによる映像切替の操作に応じて撮像素子３０に投射面上の映像を含む領域の静止画を撮像させ、その撮像データと投射データとを相互に関連づける。
【００２４】
また、ＣＰＵ２５は相互に関連づけられた撮像データと投射データとに基づく画像をＬＣＤ表示部２２に表示させる。
【００２５】
更に、ＣＰＵ２５は相互に関連づけられた撮像データと投射データとに基づく画像をテレビ４０に表示させる。
【００２６】
また、ＣＰＵ２５は相互に関連づけられた撮像データと投射データとに基づく画像をプロジェクタ部３８を用いて投射面に投射させる。
【００２７】
次に、図３に示すフローチャートを参照して第１の実施形態に係るデジタルカメラの会議記録機能を説明する。
【００２８】
図３はこの発明の第１実施形態に係るデジタルカメラの会議記録機能を説明するフローチャートである。図３においてＳ１〜Ｓ１１は各処理ステップを示す。
【００２９】
まず、再生モードにおいて、会議記録機能をオン（ＯＮ）に設定するボタンが押されたとき、会議記録機能がオンに設定される（Ｓ１）。  
会議記録機能がオンに設定されると撮影待機状態（撮影を開始するまでの状態）に移行する。
【００３０】
会議記録機能がオンに設定されると、プロジェクタ部３８による再生モードでの最終表示データに対応する映像の投射を開始する（Ｓ２）。このとき、フレーミングのため、ＬＣＤ表示部２２にスルー画を表示させる。
【００３１】
この撮影待機状態では、十字キーの左もしくは右のスイッチ又はリモコン（図示せず）を操作して、プロジェクタ部３８によって投射されている投射データの送りや戻し動作を行う。このとき、ユーザが記憶部３２内の投射データの中から１枚目に投射する投射データを選択できるようにするため、撮影は行われない。
【００３２】
次に、撮影待機状態を解除するためのＯＫボタンが押されたか否かを判定する（Ｓ３）。
【００３３】
ＯＫボタンが押されていない場合（Ｎ）には、ステップＳ３を繰り返す。
【００３４】
ＯＫボタンが押された場合（Ｙ）には、記録中状態（記録が開始されている状態）に移行する（Ｓ４）。
【００３５】
記録中状態で十字キー又はリモコンが操作された場合、以下のように動作する。
【００３６】
投射データが切り替えられたか否かを判定する（Ｓ５）。
【００３７】
例えば、ユーザによって十字キーの左又は右のスイッチが押されたとき（Ｙ）には、投射データが切り替えられたと判定してステップＳ６へ移行する。ここで、投射データが切り替えられていないと判定されたとき（Ｎ）にはステップ９へ移行する。
【００３８】
投射データが切り替えられたとき、撮影モードでシャッタボタン１８をフルストロークまで一気に押したときと同様に、ＡＦ／ＡＥ処理を行った後、撮像素子３０で投射面上の映像を含む領域の静止画を撮像する（Ｓ６）。
【００３９】
このとき、撮像した画像のメタデータ部に投射データのファイル名を関連付け情報として記録する。
【００４０】
その後、投射データのメタデータ部に撮像した画像のファイル名を関連付け情報として記録する（Ｓ７）。
【００４１】
撮像完了後、十字キーの左又は右のスイッチの操作に応じて、投射データを切り替える（Ｓ８）。
【００４２】
その後、会議記録機能を終了するためのＯＫボタンが押されたか否かを判定する（９）。
【００４３】
例えば、ユーザによってＯＫボタンが押されたとき（Ｙ）には、会議記録機能を終了すると判定してステップＳ１０へ移行する。ここで、会議記録機能を終了しないと判定したとき（Ｎ）にはステップＳ５へ戻る。
【００４４】
会議記録機能を終了するときには、プロジェクタ部３８による投射面への映像の投射を中止する（Ｓ１０）。このとき、ＬＣＤ表示部２２には最後に投射された映像又は最後に撮像した画像が表示される。
【００４５】
その後、会議記録モードを終了する（Ｓ１１）。
【００４６】
この実施形態によれば、従来例のように投射面上の映像が切り替わる度にその映像とその周囲の板書とを専用の撮影機器のカメラで撮影する必要がないので、会議の記録を簡便に行うことができる。なお、上記実施形態ではＬＣＤ表示部２２に画像を表示させたが、テレビ４０に画像を表示させてもよいし、ＬＣＤ表示部２２とテレビ４０との両方に画像を表示させてもよい。
【００４７】
図４はこの発明の第２実施形態に係るカメラシステム（電子機器）の構成を示す図である。
【００４８】
この実施形態は、プロジェクタ部１３８をデジタルカメラ２００の筐体４内に収容せず、筐体４の外に配置したプロジェクタ部１３８とデジタルカメラ２００とをＵＳＢケーブル５６を介して電気的に接続するようにした点で、第１実施形態と相違する。デジタルカメラ２００の構成は、プロジェクタ部１３８が筐体４の外に配置されている点を除き、デジタルカメラ２の構成と同じである。
【００４９】
デジタルカメラ２００はＵＳＢ端子５４を有し、ＵＳＢケーブル５６を介してプロジェクタ部１３８との間で通信を行う。デジタルカメラ２００は、ＣＰＵ２５（図２参照）の制御によりプロジェクタ部１３８から映像を投射する。
【００５０】
この実施形態によれば、第１実施形態と同様の効果を奏する。
【００５１】
上記実施形態では電子機器としてデジタルカメラを使用したが、携帯電話を電子機器として使用してもよい。
【符号の説明】
【００５２】
２，２０：デジタルカメラ（電子機器）、２２：ＬＣＤ表示部（表示手段）、２５：ＣＰＵ（制御手段）、３０：撮像素子（撮像手段）、３２：記憶部（記憶手段）、３８，１３８：プロジェクタ部（投射手段）、４０：テレビ（外部出力手段）。
【図１】
2011254185.tif 000003
【図２】
2011254185.tif 000004
【図３】
2011254185.tif 000005
【図４】
2011254185.tif 000006